(57)【要約】【課題】交流電圧の入力波形が矩形波であることを簡易な構成で検出できる。【解決手段】交流電圧から直流電圧に変換する電源回路３５を有する電源装置であって、電源回路３５は、整流回路Ｓ１と、整流回路Ｓ１に入力する交流電圧と実効値とを比較する比較部と、比較部による比較の結果、交流電圧が実効値以上となる第１期間に基づいて、交流電圧の波形が矩形波であることを検出する検出回路１００と、検出回路１００の検出結果に基づき整流回路Ｓ１からの出力を遮断するトランジスターＱと、を備える。【選択図】図２
2016135002.tif 000002
【特許請求の範囲】
【請求項１】
交流電圧から直流電圧に変換する電源回路を有する電源装置であって、
前記電源回路は、
整流回路と、
前記整流回路に入力する前記交流電圧と基準電圧とを比較する比較部と、
前記比較部による比較の結果、前記交流電圧が前記基準電圧以上となる第１期間に基づいて、前記交流電圧の波形が矩形波であることを検出する検出部と、
前記検出部の検出結果に基づき前記整流回路からの出力を遮断する遮断部と、を備えること、
を特徴とする電源装置。
【請求項２】
前記検出部は、
前記比較部による比較の結果、前記第１期間が、前記交流電圧の波形が正弦波であった場合に前記基準電圧以上となる第２期間より短い場合に、前記交流電圧の波形が矩形波であることを検出すること、
を特徴とする請求項１に記載の電源装置。
【請求項３】
前記検出部は、
前記第１期間に基づき前記交流電圧の波形におけるデューティー比を求め、求めたデューティー比が０．５以下である場合に、前記交流電圧の波形が矩形波であることを検出すること、
を特徴とする請求項１に記載の電源装置。
【請求項４】
前記基準電圧は前記交流電圧の波形が正弦波であった場合の実効値であること、
を特徴とする請求項１乃至３のいずれか１項に記載の電源装置。
【請求項５】
前記整流回路の出力側に設けられ、前記整流回路が出力する電圧を平滑にするキャパシタンス素子と、を備え、
前記遮断部は、前記整流回路と前記キャパシタンス素子との間を遮断すること、
を特徴とする請求項１乃至４のいずれか１項に記載の電源装置。
【請求項６】
前記電源装置は、前記電源回路が筐体に覆われたＡＣアダプタータイプであること、
を特徴とする請求項１から請求項５のいずれかに記載の電源装置。
【請求項７】
交流電圧から直流電圧に変換する電源回路を備え、
前記電源回路は、
整流回路と、
前記整流回路に入力する前記交流電圧と基準電圧とを比較する比較部と、
前記比較部による比較の結果、前記交流電圧が前記基準電圧以上となる期間に基づいて、前記交流電圧の波形が矩形波であることを検出する検出部と、
前記検出部の検出結果に基づき、前記整流回路からの出力を遮断する遮断部と、を備えること、
を特徴とする電子機器。
【発明の詳細な説明】
【技術分野】
【０００１】
本発明は、電源装置、及び、この電源装置を備えた電子機器に関する。
【背景技術】
【０００２】
従来、ＵＰＳ（Uninterruptible Power Supply：無停電電源）において、矩形波の交流電圧を出力する電源がある。この種のＵＰＳが、矩形波の交流電圧を、正弦波の交流電圧を出力する場合と実効値が同等となるように出力する場合、矩形波の交流電圧のピーク電圧が大きくなることがある。その結果、ＵＰＳから電力の供給を受ける装置において、ＵＰＳから定格を超える電圧が入力される可能性がある。また、ＵＰＳから電力の供給を受ける装置の中には、正弦波の交流電圧の入力を前提とする装置があり、この種の装置には、矩形波の交流電圧を入力しないことが望ましい。
このように、ＵＰＳが出力する矩形波の交流電圧に起因する問題を回避するためには、入力電圧が矩形波であることを検出することが考えられる。入力電圧が矩形波であることを検出する方法には、例えば、入力電圧をサンプリングして波形を検出し、検出する波形が矩形波か否かを判定する方法があった（例えば、特許文献１参照）。
【先行技術文献】
【特許文献】
【０００３】
【特許文献１】特開２００７−２０２７４号公報
【発明の概要】
【発明が解決しようとする課題】
【０００４】
特許文献１記載の方法では、入力電圧に対し多くの回数のサンプリングをして、サンプリングした電圧値をデジタル値に変換して処理する必要がある。このため、矩形波を検出するための回路構成が複雑になり、処理の負荷が大きいという問題がある。
本発明は、上述した事情に鑑みてなされたものであり、交流電圧の入力波形が矩形波であることを簡易な構成で検出できる電源装置、及び、電子機器を提供することを目的とする。
【課題を解決するための手段】
【０００５】
上記目的を達成するために、本発明は、交流電圧から直流電圧に変換する電源回路を有する電源装置であって、前記電源回路は、整流回路と、前記整流回路に入力する前記交流電圧と基準電圧とを比較する比較部と、前記比較部による比較の結果、前記交流電圧が前記基準電圧以上となる第１期間に基づいて、前記交流電圧の波形が矩形波であることを検出する検出部と、前記検出部の検出結果に基づき前記整流回路からの出力を遮断する遮断部と、を備えること、を特徴とする。
これにより、交流電圧を直流電圧に変換する回路において、交流電圧の入力波形が矩形波であることを簡易な構成で検出できる。また、矩形波の入力を遮断するので、矩形波の入力に起因する問題を回避し、この電源装置を構成する素子や、電源装置から電力の供給を受ける装置を保護できる。
【０００６】
また、本発明は、前記検出部は、前記比較部による比較の結果、前記第１期間が、前記交流電圧の波形が正弦波であった場合に前記基準電圧以上となる第２期間より短い場合に、前記交流電圧の波形が矩形波であることを検出すること、を特徴とする。
これにより、交流電圧の入力波形が矩形波であることを簡易に検出できる。
【０００７】
また、本発明は、前記検出部は、前記第１期間に基づき前記交流電圧の波形におけるデューティー比を求め、求めたデューティー比が０．５以下である場合に、前記交流電圧の波形が矩形波であることを検出すること、を特徴とする。
これにより、交流電圧の入力波形が矩形波であることを簡易に検出できる。
【０００８】
また、本発明は、前記基準電圧は前記交流電圧の波形が正弦波であった場合の実効値であること、を特徴とする。
これにより、定格を超える交流電圧が入力されないよう抑制できる。
【０００９】
また、本発明は、前記整流回路の出力側に設けられ、前記整流回路が出力する電圧を平滑にするキャパシタンス素子と、を備え、前記遮断部は、前記整流回路と前記キャパシタンス素子との間を遮断すること、を特徴とする。
これにより、定格を超える電圧がコンデンサーに印加されることを抑制できる。
【００１０】
また、本発明は、前記電源装置は、前記電源回路が筐体に覆われたＡＣアダプタータイプであること、を特徴とする。
これにより、交流電圧の入力波形が矩形波であることを簡易な構成で検出できる電源回路を、ＡＣアダプターに適応できる。
【００１１】
上記目的を達成するために、本発明の電子機器は、交流電圧から直流電圧に変換する電源回路を備え、前記電源回路は、整流回路と、前記整流回路に入力する前記交流電圧と基準電圧とを比較する比較部と、前記比較部による比較の結果、前記交流電圧が前記基準電圧以上となる期間に基づいて、前記交流電圧の波形が矩形波であることを検出する検出部と、前記検出部の検出結果に基づき、前記整流回路からの出力を遮断する遮断部と、を備えること、を特徴とする。
これにより、交流電圧を直流電圧に変換する回路を備える機器において、交流電圧の入力波形が矩形波であることを簡易な構成で検出できる。また、矩形波の入力を遮断するので、矩形波の入力に起因する問題を回避し、この電子機器を構成する素子等の保護が行える。
【図面の簡単な説明】
【００１２】
【図１】印刷システムの構成を示す図。
【図２】電源回路の構成を示す図。
【図３】第１実施形態に係る検出回路の構成を示す図。
【図４】検出回路の動作を説明する図表。
【図５】印刷システムの動作を示すタイムチャート。
【図６】第２実施形態に係る検出回路の構成を示す図。
【図７】印刷システムの動作を示すタイムチャート。
【発明を実施するための形態】
【００１３】
＜第１実施形態＞
図１は、印刷システム１の構成を示す図である。図１に示すように、印刷システム１は、ＵＰＳ２と、サーマルプリンター３（電子機器）とを備える。
ＵＰＳ２は、図示せぬ商用交流電源に接続され、停電等による商用交流電源の異常の場合に、商用交流電源から内蔵するバッテリーに切り替え、このバッテリーが蓄電する電力を供給する装置である。ＵＰＳ２が出力する交流電流の波形は、正弦波と矩形波とがあり、これら波形は、商用交流電圧とほぼ同じ周波数である。
【００１４】
サーマルプリンター３は、本体ケースに収容した図示せぬ感熱ロール紙を搬送して印刷を行う印刷装置である。
図１に示すようにサーマルプリンター３は、複数の発熱素子３１ａが直線状に配置された、ラインサーマルヘッド３１を備える。ラインサーマルヘッド３１における発熱素子３１ａは、ラインサーマルヘッド３１の発熱素子３１ａに通電することで、感熱ロール紙の印刷面に熱を加え、文字や画像等を印刷する。
【００１５】
また、サーマルプリンター３は、ラインサーマルヘッド３１の発熱素子３１ａに対する通電を制御する印刷ヘッド駆動部３２を備える。また、サーマルプリンター３は、感熱ロール紙を搬送する図示せぬ搬送ローラーと、搬送ローラーを駆動する搬送モーター３３とを備える。印刷ヘッド駆動部３２及び搬送モーター３３は、電源回路３５に接続され、電源回路３５から電力の供給を受けることにより動作する。
また、印刷ヘッド駆動部３２及び搬送モーター３３は、制御部３４に制御される。制御部３４は、印刷ヘッド駆動部３２を制御して、ラインサーマルヘッド３１が備える個々の発熱素子３１ａに通電させる。また、制御部３４は、搬送モーター３３を制御して、感熱ロール紙を搬送させる。
【００１６】
電源回路３５は、ＵＰＳ２に接続され、ＵＰＳ２から入力された交流電圧を整流、平滑、及び、電圧変換し、直流電圧を出力する。本実施形態において、電源回路３５は、商用交流電源から出力される正弦波の交流電圧に対応した設計をとる。また、電源回路３５は、サーマルプリンター３に実装される電源装置３６に備えられる。なお、電源装置３６は、電源回路３５が筐体に覆われたＡＣアダプターとして、外部からサーマルプリンター３に電力を供給する構成であってもよい。
【００１７】
図２は、電源回路３５の構成を示す図である。
図２に示すように、電源回路３５は、１次側回路３５ａと２次側回路３５ｂとを備える。
【００１８】
１次側回路３５ａは、整流回路Ｓ１と、トランジスターＱ（遮断部）と、電解コンデンサーＣ１（キャパシタ素子）と、トランスＴＲを構成する１次巻線Ｌ１と、ＭＯＳ型ＦＥＴ等のスイッチング素子ＳＷとを含む。整流回路Ｓ１は、交流電圧を整流して直流電圧を出力する。整流回路Ｓ１の入力側にＵＰＳ２が接続され、出力側にトランジスターＱを介し電解コンデンサーＣ１が接続される。電解コンデンサーＣ１は、整流回路Ｓ１が整流した交流電圧を平滑にする。１次巻線Ｌ１とスイッチング素子ＳＷとは、直列に接続され、電解コンデンサーＣ１と並列になるよう１次側回路３５ａに設けられる。
【００１９】
２次側回路３５ｂは、トランスＴＲを構成する２次巻線Ｌ２と、整流素子Ｓ２と、電解コンデンサーＣ２とを含む。２次巻線Ｌ２は、１次巻線Ｌ１に電圧が印加されると、１次巻線Ｌ１の巻線数と２次巻線Ｌ２の巻線数との比に応じた電圧を誘起する。
整流素子Ｓ２は、２次巻線Ｌ２に誘起された電圧を整流する。整流素子Ｓ２は、入力側に２次巻線Ｌ２が接続され、出力側に電解コンデンサーＣ２が接続される。電解コンデンサーＣ２は、２次巻線Ｌ２に誘起された電圧を整流素子Ｓ２によって整流した電圧を平滑にする。
【００２０】
２次側回路３５ｂは、図示せぬフィードバック回路を備え、出力電圧の変化をフィードバック回路に流れるフィードバック電流の変化として１次側回路３５ａにフィードバックする。１次側回路３５ａは、図示しない制御ＩＣ（Integrated Circuit）によってフィードバック電流に基づくスイッチング素子ＳＷの制御を実行し、１次巻線Ｌ１に印加される電圧を制御する。
【００２１】
前述した通り、１次側回路３５ａにおいて、整流回路Ｓ１と電解コンデンサーＣ１との間に、トランジスターＱが設けられる。トランジスターＱは、検出回路１００（検出部、比較部）の検出結果に基づき、オンオフのスイッチング動作を実行する。すなわち、検出回路１００は、トランジスターＱと協働して、整流回路Ｓ１からの交流電圧の入力の制御を行い、入力電圧を接続／遮断する。
【００２２】
図３は、第１実施形態における検出回路１００の構成を示す図である。
図３に示すように、検出回路１００は、検出制御部１０１と、比較部１０３と、を備える。
検出制御部１０１は、図示しない演算実行部としてのＣＰＵ等を備える。検出制御部１０１にはＲＯＭ（図示略）が接続し、このＲＯＭがＣＰＵによって実行可能な制御プログラム、及び、制御プログラムに係るデータ等を不揮発的に記憶する。本実施形態において、このＲＯＭは、後述する期間ｔ１を記憶する。
検出制御部１０１は、トランジスターＱを制御する制御信号を生成して出力し、トランジスターＱを制御する。具体的には、検出制御部１０１は、「Ｌｏｗ」の制御信号をトランジスターＱに出力して、トランジスターＱをオンにし、「Ｈｉｇｈ」の制御信号をトランジスターＱに出力して、トランジスターＱをオフにする。検出制御部１０１は、後述する比較部１０３の比較結果に基づいて、「Ｈｉｇｈ」と「Ｌｏｗ」とを切り替え、トランジスターＱのオンオフを切り替える。
また、検出制御部１０１は、タイマー１０２を備える。タイマー１０２は、トランジスターＱをオフにする期間を計時する。
【００２３】
比較部１０３は、整流回路Ｓ１の入力側に接続される。比較部１０３は、検出制御部１０１の制御の下、ＵＰＳ２から入力される交流電圧と実効値（基準電圧）とを比較し、比較結果を検出制御部１０１に出力する。ここで、基準電圧とは、商用交流電源の正弦波の交流電圧の実効値と、電圧値が０ボルトとの２つの電圧値を示す。
【００２４】
ところで、ＵＰＳ２が矩形波の交流電圧を出力する仕様である場合、ＵＰＳ２から電源回路３５には、矩形波の交流電圧が入力する。電源回路３５の定格は、商用交流電源の正弦波の交流電圧に適合するため、ＵＰＳ２が入力する矩形波の交流電圧のピーク電圧が、電源回路３５の定格を上回る可能性がある。ここで、図４を参照し、電源回路３５に正弦波のピーク電圧を上回る交流電圧が入力される場合を詳述する。
【００２５】
図４は、検出回路１００の動作を説明する図表であり、図４（Ａ）は正弦波が入力される場合の動作を示し、図４（Ｂ）は矩形波が入力される場合の動作を示す。図４（Ａ）及び（Ｂ）において縦軸は交流電圧の電圧値を示し、横軸は時刻を示す。
図４（Ａ）において、Ｖｍｓは正弦波のピーク電圧を示し、Ｖｒｍは実効値を示す。また、ｔ１は正弦波の交流電圧がＶｒｍ以上となる期間（第２期間）を示す。ここで、ピーク電圧Ｖｍｓは、以下に示す式（１）によって表される。
Ｖｍｓ＝Ｖｒｍ×√２・・・（１）
本実施形態では、実効値Ｖｒｍは１００ボルトであり、ピーク電圧Ｖｍｓは１４１ボルトである。
【００２６】
図４（Ｂ）において、Ｖｍｋは矩形波のピーク電圧を示す。また、ｔ２は矩形波の交流電圧がＶｒｍ以上となる期間を示し、Ｔは交流電圧の１周期の期間を示す。ここで、ピーク電圧Ｖｍｋは、以下に示す式（２）によって表される。
Ｖｍｋ＝Ｖｒｍ×√（ｔ２／Ｔ）・・・（２）
式（２）に含まれるｔ２／Ｔは、図４（Ｂ）の場合、期間Ｔにおいて電圧値が０ボルト以上となる期間の割合を示すデューティー比である。ここで、「０ボルト」とは電圧値が完全に０ボルトである状態に加え、０ボルトと見なすことが可能な０ボルト近傍の電圧値を含む。具体的には、デューティー比は、電圧値が、予め設定された０ボルトを含む電圧範囲を超える期間の割合である。
ピーク電圧Ｖｍｋは、このデューティー比によって異なる。例えば、デューティー比が０．５の場合、ピーク電圧Ｖｍｋは１４１ボルトである。また、例えば、デューティー比が０．４の場合、ピーク電圧Ｖｍｋは１５８ボルトである。
【００２７】
このように、ピーク電圧Ｖｍｋは、デューティー比が０．５以上である場合に、ピーク電圧Ｖｍｓと同等以下となる。一方で、ピーク電圧Ｖｍｋは、デューティー比が０．５より小さい場合に、ピーク電圧Ｖｍｓを上回る。したがって、デューティー比が０．５より小さい場合に、ピーク電圧Ｖｍｋは、定格を超える交流電圧として電源回路３５に入力される。
【００２８】
一般的に、ＵＰＳ２は商用交流電源の代替として電子機器に電源を供給する。このため、正弦波を出力するＵＰＳ２であっても、矩形波を出力するＵＰＳ２であっても、商用交流電源を基準とする周波数の交流電圧を出力する。このため、図４（Ａ）に示す正弦波の交流電圧と図４（Ｂ）に示す矩形波の交流電圧とは周波数がほぼ同一であると見なすことができる。
したがって、期間ｔ１より期間ｔ２が短い場合、ピーク電圧Ｖｍｋは、ピーク電圧Ｖｍｓを上回る。電源回路３５の定格は正弦波のピーク電圧Ｖｍｓに合わせて設定されるので、期間ｔ１より期間ｔ２が短い場合、ピーク電圧Ｖｍｋは、定格を超える交流電圧として電源回路３５に入力されることとなる。
【００２９】
検出回路１００は、比較部１０３と検出制御部１０１とにより後述する検出方法によって、入力される交流電圧が矩形波であることを検出し、トランジスターＱを制御する。ここで、矩形波の検出について２つの検出方法を例示し説明する。
【００３０】
＜第１の検出方法＞
比較部１０３は、入力された交流電圧が実効値Ｖｒｍ以上となる期間（第１期間）と、予め記憶された期間ｔ１とを比較し、比較結果を検出制御部１０１に出力する。検出制御部１０１は、入力される交流電圧が実効値Ｖｒｍ以上となる期間が、期間ｔ１より短いことを示す比較結果を取得した場合、交流電圧の入力波形が矩形波であることを検出し、「Ｈｉｇｈ」の制御信号をトランジスターＱに出力し、トランジスターＱをオフにする。
【００３１】
＜第２の検出方法＞
比較部１０３は、入力された交流電圧と実効値Ｖｒｍとを比較し、この交流電圧が実効値Ｖｒｍ以上となる期間を、検出制御部１０１に出力する。また、比較部１０３は、０ボルトを示す基準電圧と入力された交流電圧とを比較し、例えば交流電圧の電圧値が０ボルトから立ち上がり、再度、０ボルトから立ち上がるまでの期間を期間Ｔとし、この期間Ｔを検出制御部１０１に出力する。なお、期間Ｔは、予めＲＯＭに記憶された構成であってもよい。これは、ＵＰＳ２が出力する正弦波と矩形波の交流電圧がほぼ同じ周期であり、電源回路３５はこの正弦波の交流電圧に対応しているためである。検出制御部１０１は、入力された交流電圧が実効値Ｖｒｍ以上となる期間と期間Ｔとからデューティー比を算出する。そして、検出制御部１０１は、このデューティー比が０．５より小さい場合に、交流電圧の入力波形が矩形波であることを検出し、「Ｈｉｇｈ」の制御信号をトランジスターＱに出力し、トランジスターＱをオフにする。
【００３２】
電源回路３５は、以下の動作を実行する。
図５は、印刷システム１の動作を示すタイムチャートである。特に、図５はＵＰＳ２と電源回路３５のタイムチャートを示す。図５（Ａ）はＵＰＳ２のタイムチャートを示し、図５（Ｂ）は整流回路Ｓ１の出力側のタイムチャートを示し、図５（Ｃ）は検出回路１００のタイムチャートを示す。
【００３３】
電源回路３５の検出回路１００は、ＵＰＳ２から入力される交流電圧において、上述した第１の検出方法または第２の検出方法により、この交流電圧の波形が矩形波であることの検出を行う。ここで、ＵＰＳ２から波形ＫＨ１の交流電圧が入力されるとする。なお、説明の便宜上、波形ＫＨ１のピーク電圧は、ピーク電圧Ｖｍｓを上回るものとする。
波形ＫＨ１の交流電圧が入力されると、検出回路１００は、入力される交流電圧と実効値Ｖｒｍとの比較によって得られた期間ｔ３に基づき、上述した検出方法によって、波形ＫＨ１が矩形波であると検出する。すると、検出回路１００は検出制御部１０１により、時刻ｔａにおいて、「Ｈｉｇｈ」の制御信号をトランジスターＱに出力し、トランジスターＱをオフする。トランジスターＱがオフになると、整流回路Ｓ１と電解コンデンサーＣ２との間が導通しなくなり、整流回路Ｓ１の出力側からの交流電圧の入力は遮断される。このように、トランジスターＱは、整流回路Ｓ１と電解コンデンサーＣ１との間を遮断するため、電解コンデンサーＣ１に定格を超える電圧が印加されることを抑制できる。これにより、定格を超える電圧の印加による電解コンデンサーＣ１の故障や、電解コンデンサーＣ１の開弁に伴う漏電等のリスクを低減できる。
【００３４】
トランジスターＱをオフの状態にする期間は、タイマー１０２によって予め設定される。検出回路１００は、タイマー１０２によって予め設定された期間についてはトランジスターＱをオフにする制御信号を出力する。図５の例の場合、トランジスターＱをオフの状態する期間は、時刻ｔａから時刻ｔｂの間に相当する。
【００３５】
ここで、時刻が、タイマー１０２によって設定された期間を満たし、時刻ｔｂに到達したとする。すると、検出回路１００は、検出制御部１０１によって「Ｌｏｗ」の制御信号を出力し、トランジスターＱをオンにする。トランジスターＱがオンになると、整流回路Ｓ１と電解コンデンサーＣ１との間が導通し、ＵＰＳ２から入力される交流電圧は電源回路３５に入力される。つまり、電源回路３５は、タイマー１０２によってトランジスターＱをオフにする期間を設け、この期間を満たすことによりトランジスターＱをオンにし、自動的に交流電圧が入力された状態に復帰することができる。
【００３６】
このように、入力された交流電圧と実効値Ｖｒｍとの比較により、この交流電圧の波形が矩形波であると簡易な構成で検出できる。また、電源回路３５は、矩形波であることを検出すると交流電圧の入力を遮断するため、定格を超える交流電圧が入力されることを抑制できる。そのため、定格を超える交流電圧の入力に起因する素子等の破損からサーマルプリンター３の保護が行える。
【００３７】
＜第２実施形態＞
図６は、第２実施形態に係る検出回路１００の構成を示す図である。以下の説明において、第１実施形態に係る検出回路１００の構成要素と同様の構成要素については、同一の符号を付し、その詳細な説明を省略する。
図３と図６との比較によって明らかな通り、第２実施形態に係る検出回路１００は、検出制御部１０１とトランジスターＱとの間にラッチ回路１０４を備え、検出制御部１０１は、タイマー１０２を備えていない。
【００３８】
ラッチ回路１０４は、検出制御部１０１が出力する制御信号を保持し、保持する制御信号に基づく制御を継続的にトランジスターＱにさせるものである。本例のラッチ回路１０４は、「Ｈｉｇｈ」の制御信号が検出制御部１０１から出力された場合に、「Ｈｉｇｈ」の制御信号を保持し、トランジスターＱを継続的にオフにする。つまり、ラッチ回路１０４が制御信号を保持する動作（以下、ラッチ動作を表現する。）を実行すると、トランジスターＱは、継続的に整流回路Ｓ１からの交流電力の入力を遮断する。ラッチ回路１０４は、一旦、ラッチ動作を実行すると、継続的にトランジスターＱをオフにしてしまう。つまり、トランジスターＱは、継続的に交流電圧の入力を遮断する。そのため、復帰するには、ＵＰＳ２からの交流電圧の出力を停止し、ラッチ回路１０４のラッチ動作が実行可能な電圧未満に低下させることによりラッチ動作を停止させ、再度、ＵＰＳ２から交流電圧を入力することが必要となる。
【００３９】
次に、第２実施形態に係る印刷システム１の動作について説明する。
図７は、印刷システム１の動作を示すタイムチャートである。特に、図７は、ＵＰＳ２と電源回路３５とのタイムチャートである。図７（Ａ）はＵＰＳ２のタイムチャートを示し、図７（Ｂ）は整流回路Ｓ１の出力側のタイムチャートを示し、図７（Ｃ）は検出回路１００のタイムチャートを示す。
【００４０】
ここで、ＵＰＳ２から波形ＫＨ２の交流電圧が入力されたとする。なお、説明の便宜上、波形ＫＨ２のピーク電圧は、ピーク電圧Ｖｍｓを上回るものとする。
波形ＫＨ２の交流電圧が入力されると、検出回路１００は、入力された交流電圧と実効値Ｖｒｍとの比較によって得られた期間ｔ３に基づいて、上述した検出方法により交流電圧の波形が矩形波であると検出する。すると、検出回路１００は、時刻ｔｃにおいて、ラッチ回路１０４のラッチ動作を開始させ、検出制御部１０１から出力された「Ｈｉｇｈ」の制御信号を保持し、継続的にトランジスターＱをオフにする。トランジスターＱがオフになると、整流回路Ｓ１の出力側からの交流電圧の入力は遮断される。
【００４１】
ここで、時刻ｔｄにおいて、ＵＰＳ２から交流電圧の入力が停止し、時刻ｔｅにおいて、ＵＰＳ２から交流電圧の入力が再開したとする。すると、ＵＰＳ２からの入力の停止に伴いラッチ回路１０４のラッチ動作を停止しているため、トランジスターＱはオンになり、整流回路Ｓ１と電解コンデンサーＣ１との間が導通する。そして、ＵＰＳ２からの交流電圧の入力の再開に伴い、交流電圧は電源回路３５に入力される。
【００４２】
このように、第２実施形態に係る電源回路３５は、第１実施形態における電源回路３５と同様の効果を奏すことができる。
【００４３】
以上、説明したように、本発明の電源装置３６は、交流電圧から直流電圧に変換する電源回路３５を備える。電源回路３５は、整流回路Ｓ１と、整流回路Ｓ１に入力する交流電圧と実効値（基準電圧）とを比較する比較部１０３と、比較部１０３による比較の結果、交流電圧が実効値以上となる期間（第１期間）に基づいて、交流電圧の波形が矩形波であることを検出する検出回路１００（検出部）と、検出回路１００の検出結果に基づき整流回路Ｓ１からの出力を遮断するトランジスターＱ（遮断部）と、を備える。
これにより、交流電圧を直流電圧に変換する電源回路３５において、入力される交流電圧の電圧と実効値Ｖｒｍとの比較によって、入力波形が矩形波であることを簡易な構成で検出できる。また、矩形波の入力を遮断するため、この電源回路３５を構成する素子や、電力の供給を受ける装置の保護が行える。
【００４４】
また、検出回路１００は、交流電圧と実効値Ｖｒｍとを比較し、交流電圧が実効値Ｖｒｍ以上となる期間が、交流電圧の波形が正弦波であった場合に実効値以上となる期間ｔ１（第２期間）より短い場合に、交流電圧の波形が矩形波であることを検出する。
これにより、実効値Ｖｒｍ以上となる期間の比較によって入力波形が矩形波であることを簡易に検出できる。
【００４５】
また、検出回路１００は、入力波形の電圧と実効値Ｖｒｍとを比較し、入力波形の電圧が実効値Ｖｒｍ以上となる期間に基づいて、交流電圧の波形におけるデューティー比を求め、求めたデューティー比が０．５以下である場合に、交流電圧の波形が矩形波であることを検出する。
これにより、デューティー比によって入力波形が矩形波であることを簡易に検出できる。
【００４６】
また、実効値Ｖｒｍは、交流電圧の波形が正弦波であった場合の実効値である。
前述した通り、電源回路３５は商用交流電源から出力される正弦波の交流電圧に対応する。このため、正弦波の交流電圧の実効値Ｖｒｍに基づいて矩形波の検出を行うため、定格を超える交流電圧の入力を抑制できる。
【００４７】
また、電源回路３５は、整流回路Ｓ１の出力側に設けられ、整流回路Ｓ１が出力する電圧を平滑にする電解コンデンサーＣ１（キャパシタンス素子）と、を備える。トランジスターＱは、整流回路Ｓ１と電解コンデンサーＣ１との間を遮断する。
これにより、電解コンデンサーＣ１に定格を超える電圧が印加させることを抑制でき、定格を超える電圧印加による電解コンデンサーＣ１の故障や、電解コンデンサーＣ１の開弁による漏電等のリスクを低減できる。
【００４８】
また、電源装置３６は、電源回路３５が筐体に覆われたＡＣアダプタータイプである。
これにより、交流電圧の入力波形が矩形波であることを簡易な構成で検出できる電源回路３５を、ＡＣアダプターに適応できる。
【００４９】
なお、上述した実施形態は、あくまでも本発明の一態様を示すものであり、本発明の範囲内で任意に変形および応用が可能である。
例えば、上述した実施形態において、検出回路１００は、ＵＰＳ２から入力される交流電圧と実効値との比較し、この交流電圧が実効値を超える期間に基づいて、交流電圧の波形が矩形波であると検出する場合を例示した。しかしながら、矩形波であることの検出は、これに限られない。検出回路１００は、ＵＰＳ２から入力される交流電圧と、予め設定された閾値とを比較し、交流電圧が閾値を超える場合に、入力された交流電圧の波形を矩形波であると検出する構成であってもよい。
また、トランジスターＱは、スイッチ機能を持つ、例えばＦＥＴやリレーなど他の素子であってもよい。
【００５０】
また、例えば、上述した実施形態において、ＵＰＳ２から電力が供給される装置をサーマルプリンター３として例示したが、本発明はこれに限定されない。例えば、サーマルプリンター３に代えて、インクジェットプリンター等の他のプリンターでもよい。また、プリンターに限られず、直流電圧を電源として動作する装置であれば、電源回路３５が電源を供給する対象の装置として、本発明を適応できる。
【符号の説明】
【００５１】
３…サーマルプリンター（電子機器）、３５…電源回路、３６…電源装置、１００、１０１…検出回路（検出部）、１０３…比較部、Ｃ１…電解コンデンサー（コンデンサー）、Ｑ…トランジスター（遮断部）、Ｓ１…整流回路。
【図１】
2016135002.tif 000003
【図２】
2016135002.tif 000004
【図３】
2016135002.tif 000005
【図４】
2016135002.tif 000006
【図５】
2016135002.tif 000007
【図６】
2016135002.tif 000008
【図７】
2016135002.tif 000009